(57)【特許請求の範囲】
【請求項１】
依頼者端末および倉庫管理者端末とネットワークを介して接続される管理サーバであって、
依頼者情報記憶部に記憶されている依頼情報と倉庫管理者情報記憶部に記憶されている倉庫情報とを比較して、現場から所定の半径以内でかつ所望の検索条件を満たす倉庫が存在するか否かを検索し、前記依頼情報と前記倉庫情報とを比較して現場から所定の半径以内でかつ所望の検索条件を満たす倉庫が存在する場合に、検索結果画面を生成および提供する倉庫検索部と、
前記依頼者端末から送信された選択倉庫を受信し、前記選択倉庫に対応する前記倉庫情報と、前記依頼者端末に対応する前記依頼情報とから、マッチング画面を生成するマッチング画面生成部と、
前記生成されたマッチング画面を依頼者端末および倉庫管理者端末に提供するマッチング画面提供部と、
倉庫管理者情報記憶部に記憶されている倉庫管理者情報と倉庫情報とに基づいて在庫管理画面を生成する在庫管理画面生成部と、
前記在庫管理画面生成部が生成した前記在庫管理画面を前記依頼者端末および前記倉庫管理者端末に提供する在庫管理画面提供部と、を有し、
倉庫管理者についての評価を示す評価スコアを、依頼内容の作業が終了後に前記依頼者端末から受信し、依頼内容の作業を行うために倉庫から持ち出す資材の出庫数または依頼内容の作業終了後に倉庫に預け入れる資材の入庫数を示す出入庫情報を、依頼内容の作業が終了後に前記倉庫管理者端末から受信し、前記評価スコアと前記出入庫情報とに基づいて、前記倉庫管理者情報記憶部に記憶されている倉庫管理者情報と前記倉庫情報に含まれる在庫情報とを更新し、
前記在庫管理画面は、所望の倉庫の位置を示す地図と、前記所望の倉庫の保有資材と、保有資材数量と、建材の収納可能容量と、収納率とを含む表示領域が表示され、
前記マッチング画面は、経路表示領域と、経路と、メッセージ履歴表示領域とを含み、
前記検索結果画面は、現場所在地から所定半径以内でかつ、基準倉庫の倉庫情報と比較して検索条件を満たす倉庫の位置を示すアイコンと、倉庫情報表示領域と、依頼者端末の依頼ＩＤに対応する現場の位置を示すアイコンと、基準倉庫の位置を示すアイコンとを含む、
管理サーバ。
【請求項２】
依頼者端末と、倉庫管理者端末と、前記依頼者端末および前記倉庫管理者端末とネットワークを介して無線通信接続される管理サーバとを有する建築資材の在庫管理方法であって、
前記管理サーバが、前記依頼者端末から依頼者情報を取得および記憶する工程と、
前記管理サーバが、前記倉庫管理者端末から倉庫管理者情報を取得および記憶する工程と、
前記管理サーバが、依頼者情報記憶部に記憶されている依頼情報と倉庫管理者情報記憶部に記憶されている倉庫情報とを比較して、現場から所定の半径以内でかつ所望の検索条件を満たす倉庫が存在するか否かを検索する工程と、
前記管理サーバが、前記依頼情報と前記倉庫情報とを比較して現場から所定の半径以内でかつ所望の検索条件を満たす倉庫が存在する場合に、検索結果画面を生成および提供する工程と、
前記管理サーバが、前記依頼者端末から送信された選択倉庫を受信し、前記選択倉庫に対応する前記倉庫情報と、前記依頼者端末に対応する前記依頼情報とから、マッチング画面を生成する工程と、
マッチング画面生成部が生成したマッチング画面を依頼者端末および倉庫管理者端末に提供する工程と、
前記管理サーバが、倉庫管理者についての評価を示す評価スコアを、依頼内容の作業が終了後に前記依頼者端末から受信し、依頼内容の作業を行うために倉庫から持ち出す資材の出庫数または依頼内容の作業終了後に倉庫に預け入れる資材の入庫数を示す出入庫情報を、依頼内容の作業が終了後に前記倉庫管理者端末から受信し、前記評価スコアと前記出入庫情報とに基づいて、前記倉庫管理者情報記憶部に記憶されている倉庫管理者情報と前記倉庫情報に含まれる在庫情報とを更新する工程とを有し、
前記マッチング画面は、経路表示領域と、経路と、メッセージ履歴表示領域とを含み、
前記検索結果画面は、現場所在地から所定半径以内でかつ、基準倉庫の倉庫情報と比較して検索条件を満たす倉庫の位置を示すアイコンと、倉庫情報表示領域と、依頼者端末の依頼ＩＤに対応する現場の位置を示すアイコンと、基準倉庫の位置を示すアイコンとを含む、
建築資材の在庫管理方法。
【請求項３】
請求項２に記載の建築資材の在庫管理方法において、
前記管理サーバが、倉庫管理者情報記憶部に記憶されている倉庫情報と、在庫情報記憶部に記憶されている在庫情報とに基づいて在庫管理画面を生成する工程と、
前記管理サーバが、在庫管理画面生成部が生成した在庫管理画面を依頼者端末および倉庫管理者端末に提供する工程とを有し、
前記在庫管理画面は、所望の倉庫の位置を示す地図と、前記所望の倉庫の保有資材と、保有資材数量と、建材の収納可能容量と、収納率とを含む表示領域が表示される、
建築資材の在庫管理方法。
【発明の詳細な説明】
【技術分野】
【０００１】
本発明は、管理サーバおよび建築資材の在庫管理方法に関する。
【背景技術】
【０００２】
建築現場で発生する残り資材および未使用資材については、建築施工を担当する工務店等が管理を行っている。この際、建築資材の引き取りには人件費、運送費等の手間とコストがかかる。また、資材引き取り後には倉庫の維持費と、所定期間経過した場合には資材処分費とが発生する。
【先行技術文献】
【特許文献】
【０００３】
【特許文献１】特開２００５−２１６１５９号公報
【発明の概要】
【発明が解決しようとする課題】
【０００４】
例えば、特許文献１には、単品発注された建築資材を、部材単位で発注から配送までの流れを管理する工事資材受発注システムが開示されている。
【０００５】
しかし、特許文献１では、単品発注された建築資材を、部材単位で発注から配送までの流れを管理するものであり、残り資材および未使用資材の引き取りおよび管理について意図しているものではない。
【０００６】
本発明の目的は、工務店等による建築資材の引き取りにかかる手間やコストの削減が可能な技術を提供することである。
【課題を解決するための手段】
【０００７】
本願において開示される発明のうち、代表的なものの概要を簡単に説明すれば、次の通りである。
【０００８】
本発明の一実施の形態は、依頼者端末および倉庫管理者端末とネットワークを介して接続される管理サーバであって、依頼者情報記憶部に記憶されている依頼情報と倉庫管理者情報記憶部に記憶されている倉庫情報とを比較して、現場から所定の半径以内でかつ所望の検索条件を満たす倉庫が存在するか否かを検索し、前記依頼情報と前記倉庫情報とを比較して現場から所定の半径以内でかつ所望の検索条件を満たす倉庫が存在する場合に、検索結果画面を生成および提供する倉庫検索部を有する。また、前記提供された検索結果画面に含まれるものから依頼者に選択された選択倉庫に基づいてマッチング画面を生成するマッチング画面生成部を有する。また、前記生成されたマッチング画面を依頼者端末と倉庫管理者端末に提供するマッチング画面提供部を有する。
【発明の効果】
【０００９】
本発明によれば、工務店等による建築資材の引き取りにかかる手間やコストの削減が可能となる。
【図面の簡単な説明】
【００１０】
【図１】本発明の一実施の形態における建築資材の在庫管理システムの構成例の概要を示す図である。
【図２】本発明の一実施の形態における管理サーバの依頼者情報記憶部に記憶されている依頼者情報の概要を示す図である。
【図３】本発明の一実施の形態における管理サーバの倉庫管理者情報記憶部に記憶されている倉庫管理者情報の概要を示す図である。
【図４】本発明の一実施の形態における全体処理の概要を示す図である。
【図５】本発明の一実施の形態における依頼者情報記憶処理の概要を示す図である。
【図６】本発明の一実施の形態における倉庫管理者情報記憶処理の概要を示す図である。
【図７】本発明の一実施の形態における依頼者端末のディスプレイに表示される在庫管理画面の構成例の概要を示す図である。
【図８】本発明の一実施の形態における在庫管理画面生成処理および在庫管理画面提供処理の概要を示す図である。
【図９】本発明の一実施の形態における倉庫検索処理の概要を示す図である。
【図１０】本発明の一実施の形態における依頼者端末のディスプレイに表示される検索結果画面の構成例の概要を示す図である。
【図１１】本発明の一実施の形態における依頼者端末および倉庫管理者端末のディスプレイに表示されるマッチング画面の構成例の概要を示す図である。
【図１２】本発明の一実施の形態におけるマッチング画面生成処理およびマッチング画面提供処理の概要を示す図である。
【図１３】本発明の一実施の形態における在庫情報更新処理の構成例の概要を示す図である。
【図１４】本発明の一実施の形態における作業の流れを示す概念図である。
【図１５】本発明の一実施の形態における作業の流れを示す概念図である。
【図１６】本発明の一実施の形態における作業の流れを示す概念図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態における建築資材の在庫管理システムの構成例の概要を示す図である。
【００１２】
図１に示されるように、在庫管理システムは、依頼者端末１００と、依頼者端末１００とネットワークを介して接続される管理サーバ２００と、管理サーバ２００とネットワークを介して接続される倉庫管理者端末１２０とを有する。すなわち、管理サーバ２００は、依頼者端末１００と、倉庫管理者端末１２０とネットワークを介して接続される。依頼者端末１００は、例えば工務店等の依頼者が有する端末である。依頼者は、それぞれが建築工事を担当する現場１１０を有する。
倉庫管理者端末１２０は、例えば材木店等の倉庫管理者が有する端末である。倉庫管理者は、それぞれが建築資材を保管する倉庫１３０を有する。
【００１３】
管理サーバ２００は、依頼者情報記憶部２１０と、倉庫管理者情報記憶部２２０と、在庫情報記憶部２３０と、在庫管理画面生成部２４０と、在庫管理画面提供部２５０と、倉庫検索部２６０と、マッチング画面生成部２７０と、マッチング画面提供部２８０とを有する。
【００１４】
依頼者情報記憶部２１０には、依頼者情報（後述、図２）が記憶されている。倉庫管理者情報記憶部２２０には、倉庫管理者情報（後述、図３）が記憶されている。在庫情報記憶部２３０には、在庫情報（後述、図３）が記憶されている。
【００１５】
在庫管理画面生成部２４０は、在庫管理画面７００（後述、図７）を生成する。まず、在庫管理画面生成部２４０は、倉庫管理者情報記憶部２２０から倉庫情報４１０のうち、倉庫ＩＤ、倉庫所在地、保有資材、保有資材数量、収納可能容量などの情報を抽出する。次に、在庫管理画面生成部２４０は、倉庫管理者情報記憶部２２０から倉庫管理者情報４００のうち、倉庫管理者ＩＤと、名称と、連絡先と、倉庫情報４１０と、評価スコアなどのデータ項目を抽出する。その後、在庫管理画面生成部２４０は、抽出した倉庫情報４１０のうち、倉庫ＩＤ、倉庫所在地、保有資材、保有資材数量、収納可能容量などの情報と、抽出した倉庫管理者情報４００のうち、倉庫管理者ＩＤと、名称と、連絡先と、倉庫情報４１０と、評価スコアなどのデータ項目とから在庫管理画面７００を生成する。
【００１６】
在庫管理画面提供部２５０は、在庫管理画面７００を依頼者端末１００と倉庫管理者端末１２０とに提供する。まず、在庫管理画面提供部２５０は、生成された在庫管理画面７００を依頼者端末１００および倉庫管理者端末１２０に送信する。次に、依頼者端末１００は、在庫管理画面７００を受信する。その後、依頼者端末１００および倉庫管理者端末１２０は、管理サーバ２００から提供された在庫管理画面７００をディスプレイに表示させる。
【００１７】
倉庫検索部２６０は、倉庫１３０を検索する。まず、依頼者端末１００は、ディスプレイに表示された在庫管理画面７３０に含まれる検索タブ７８０を依頼者にタップまたはクリックさせることにより、検索開始の入力を受け付ける。次に、依頼者端末１００は、依頼者ＩＤと基準倉庫と検索条件とを、管理サーバ２００に送信する。次に、管理サーバ２００は、依頼者端末１００から送信された依頼者ＩＤと基準倉庫と検索条件を受信する。
【００１８】
次に、倉庫検索部２６０は、受信した基準倉庫の倉庫ＩＤに紐づく倉庫情報４１０のうち、倉庫ＩＤ、倉庫所在地、保有資材、保有資材数量、収納可能容量などの情報を倉庫管理者情報記憶部２２０から呼び出すことにより取得する。次に、倉庫検索部２６０は、Ｓ９０３で受信した依頼者端末１００の依頼者ＩＤに紐づく依頼情報３１０を抽出し、それに含まれる依頼ＩＤおよび現場所在地を取得する。
【００１９】
次に、倉庫検索部２６０は、呼出した現場所在地から所定半径以内でかつ、基準倉庫の倉庫情報４１０と比較して検索条件を満たす倉庫１３０が１つ以上存在するか否かを判定する。なお、所定半径とは、例えば１０〜２０キロメートルである。現場所在地から所定半径以内でかつ、基準倉庫の倉庫情報４１０と比較して検索条件を満たす倉庫１３０が１つ以上存在する時は、倉庫検索部２６０は、現場所在地から所定半径以内でかつ、基準倉庫の倉庫情報４１０と比較して検索条件を満たす全ての倉庫１３０の倉庫情報４１０とそれに紐付いている倉庫管理者情報４００とに基づいて現場所在地と、倉庫所在地と、倉庫の保有資材と、評価スコア等を含む検索結果画面１０００（詳細は後述する）を生成する。
【００２０】
次に、倉庫検索部２６０は、生成された検索結果画面１０００を依頼者端末１００に提供する。次に、依頼者端末１００は、提供された検索結果画面１０００をディスプレイに表示させる。
【００２１】
マッチング画面生成部２７０は、マッチング画面１１００を生成する。まず、依頼者端末１００は、検索結果画面１０００に含まれる決定タブ１０５０をタップまたはクリックする入力を受け付ける。次に、依頼者端末１００は、選択倉庫を管理サーバ２００に送信する。
【００２２】
次に、マッチング画面生成部２７０は、依頼者端末１００から送信された選択倉庫を受信する。次に、受信した選択倉庫に対応する倉庫情報４１０のうち、倉庫ＩＤ、倉庫所在地、保有資材、保有資材数量、収納可能容量などの情報と、依頼者端末１００に対応する依頼情報３１０のうち、依頼ＩＤ、現場所在地、依頼日、依頼資材、依頼資材数量などの情報とから、マッチング画面１１００を生成する。
【００２３】
マッチング画面提供部２８０は、マッチング画面１１００を依頼者端末１００と倉庫管理者端末１２０とに提供する。
【００２４】
まず、マッチング画面生成部２７０は、生成されたマッチング画面１１００を依頼者端末１００に提供する。次に、管理サーバ２００は、生成されたマッチング画面１１００を倉庫管理者端末１２０に提供する。
【００２５】
次に、依頼者端末１００は、管理サーバ２００から提供されたマッチング画面１１００をディスプレイに表示させる。また、倉庫管理者端末１２０は、管理サーバ２００から提供されたマッチング画面１１００をディスプレイに表示させる。
＜依頼者情報記憶部＞
図２（ａ）は、本発明の一実施の形態における管理サーバ２００の依頼者情報記憶部２１０に記憶されている依頼者情報３００の構成例の概要を示す図である。
【００２６】
図２（ａ）に示されるように、依頼者情報３００は、依頼者ＩＤと、名称と、連絡先と、依頼情報３１０と、カード情報などのデータ項目により構成される。
【００２７】
依頼者ＩＤは、管理サーバ２００が、依頼者を識別するための符号を示す。名称は、依頼者の名称を示す。連絡先は、依頼者のメールアドレスや電話番号等を示す。依頼情報３１０は、依頼者が希望する依頼の内容を示す（詳細は後述する）。カード情報は、依頼者が決済を行う際に使用するクレジットカードの情報を示す。
【００２８】
図２（ｂ）は、本発明の一実施の形態における管理サーバ２００の依頼者情報記憶部２１０に記憶されている依頼者情報３００に含まれる依頼情報３１０の構成例の概要を示す図である。依頼情報３１０は、依頼ＩＤ、現場所在地、依頼日、依頼資材、依頼資材数量などの情報を示す。
【００２９】
「依頼ＩＤ」は、管理サーバ２００が、依頼者から入力を受け付けた依頼者情報３００に含まれる依頼情報３１０を識別するための符号を示す。
【００３０】
「現場所在地」は、管理サーバ２００が、依頼者から入力を受け付けた依頼者情報３００に含まれる依頼情報３１０の各依頼ＩＤに対応する現場１１０の位置を特定するための情報を示す。
【００３１】
「依頼日」は、依頼者端末１００が依頼者から依頼者情報３００の入力を受け付けた日にちを示す。
【００３２】
「依頼資材」は、管理サーバ２００が、依頼者から入力を受け付けた依頼者情報３００に含まれる依頼情報３１０の依頼内容に対応する建築資材の種類の情報を示す。
【００３３】
「依頼数量」は、管理サーバ２００が、依頼者から入力を受け付けた依頼者情報３００に含まれる依頼情報３１０の依頼内容に対応する建築資材の数量の情報を示す。
＜倉庫管理者情報記憶部＞
図３（ａ）は、本発明の一実施の形態における管理サーバ２００の倉庫管理者情報記憶部２２０に記憶されている倉庫管理者情報４００の構成例の概要を示す図である。
【００３４】
図３（ａ）に示されるように、倉庫管理者情報４００は、倉庫管理者ＩＤと、名称と、連絡先と、倉庫情報４１０と、評価スコアなどのデータ項目により構成される。
【００３５】
倉庫管理者ＩＤは、管理サーバ２００が、倉庫管理者を識別するための符号を示す。名称は、倉庫管理者の名称を示す。連絡先は、倉庫管理者のメールアドレスや電話番号等を示す。倉庫情報４１０は、倉庫管理者が保有する倉庫の内容を示す（詳細は後述する）。
【００３６】
評価スコアは、倉庫管理者について、過去に他の依頼者を含めた依頼者から送信された評価を示す。評価スコアは、例えば１〜５の５段階で表示させることができる。評価スコアは、在庫情報更新処理（後述する）において、管理サーバ２００が、作業終了後に依頼者端末１００から送信される。その後、管理サーバ２００は、毎回の評価スコアの累積を平均化して倉庫管理者情報４００として記憶させる。
【００３７】
図３（ｂ）は、本発明の一実施の形態における管理サーバ２００の倉庫管理者情報記憶部２２０に記憶されている倉庫管理者情報４００に含まれる倉庫情報４１０の構成例の概要を示す図である。倉庫情報４１０は、倉庫ＩＤ、倉庫所在地、保有資材、保有資材数量、収納可能容量などの情報から構成される。
【００３８】
「倉庫ＩＤ」は、管理サーバ２００が、倉庫管理者から入力を受け付けた倉庫管理者情報４００に含まれる倉庫情報４１０を識別するための符号を示す。
【００３９】
「倉庫所在地」は、管理サーバ２００が、倉庫管理者から入力を受け付けた倉庫管理者情報４００に含まれる倉庫情報４１０の各倉庫ＩＤに対応する倉庫１３０の位置を特定するための情報を示す。
【００４０】
「保有資材」は、管理サーバ２００が、倉庫管理者から入力を受け付けた倉庫管理者情報４００に含まれる倉庫情報４１０の各倉庫ＩＤに対応する倉庫１３０が保有する建築資材の種類の情報を示す。
【００４１】
「保有資材数量」は、管理サーバ２００が、倉庫管理者から入力を受け付けた倉庫管理者情報４００に含まれる倉庫情報４１０の各倉庫ＩＤに対応する倉庫１３０が保有する建築資材の数量の情報を示す。
【００４２】
「収納可能容量」は、管理サーバ２００が、倉庫管理者から入力を受け付けた倉庫管理者情報４００に含まれる倉庫情報４１０の各倉庫ＩＤに対応する倉庫１３０が収納可能な建築資材の容量の情報を示す。
【００４３】
また、管理サーバ２００は、上述した倉庫情報４１０のうち「倉庫ＩＤ」と「保有資材」と「保有資材数量」とを在庫情報４２０として在庫情報記憶部２３０に記憶させる。
＜全体処理＞
図４は、本発明の一実施の形態における全体処理の概要を示す図である。
【００４４】
まず、Ｓ４０１にて、管理サーバ２００は依頼者情報記憶処理（図５で後述する）を行う。次に、Ｓ４０２にて、管理サーバ２００は倉庫管理者情報記憶処理（図６（ａ）で後述する）を行う。次に、Ｓ４０３にて、管理サーバ２００は在庫情報記憶処理（図６（ｂ）で後述する）を行う。
【００４５】
次に、Ｓ４０４にて、管理サーバ２００は在庫管理画面生成処理（図８（ａ）で後述する）を行う。次に、Ｓ４０５にて、管理サーバ２００は在庫管理画面提供処理（図８（ｂ）で後述する）を行う。その後、Ｓ４０６にて、管理サーバ２００は倉庫検索処理（図９で後述する）を行う。
【００４６】
次に、Ｓ４０７にて、管理サーバ２００はマッチング画面生成処理（図１２（ａ）で後述する）を行う。次に、Ｓ４０８にて、管理サーバ２００はマッチング画面提供処理（図１２（ｂ）で後述する）を行う。
【００４７】
次に、依頼者と倉庫管理者との間でなされたマッチングの内容に基づく作業が終了した後、Ｓ４０９にて、管理サーバ２００は在庫情報更新処理（図１３で後述する）を行う。
＜依頼者情報記憶処理＞
図５は、本発明の一実施の形態における依頼者情報記憶処理の概要を示す図である。以下、管理サーバ２００が、依頼者情報３００を記憶する方法について説明する。
【００４８】
まず、Ｓ５０１にて、依頼者端末１００は、依頼者情報３００の入力を依頼者端末１００の所有者である依頼者から受け付ける。なお、依頼者情報３００は、依頼者ＩＤと、名称と、連絡先と、依頼情報３１０と、カード情報などのデータ項目により構成される。
次に、Ｓ５０２にて、依頼者端末１００は、Ｓ５０１で入力を受け付けた依頼者情報３００を管理サーバ２００に送信する。
【００４９】
次に、Ｓ５０３にて、管理サーバ２００は、依頼者情報３００を受信する。
次に、Ｓ５０４にて、管理サーバ２００は、受信した依頼者情報３００に依頼者ＩＤを付して、Ｓ５０１にて入力を受け付けた依頼者情報３００を依頼者情報記憶部２１０に記憶する。
＜倉庫管理者情報記憶処理＞
図６（ａ）は、本発明の一実施の形態における倉庫管理者情報記憶処理の概要を示す図である。以下、管理サーバ２００が、倉庫管理者情報４００を記憶する方法について説明する。
【００５０】
まず、Ｓ６０１にて、倉庫管理者端末１２０は、倉庫管理者情報４００の入力を倉庫管理者端末１２０の所有者である倉庫管理者から受け付ける。なお、倉庫管理者情報４００は、倉庫管理者ＩＤと、名称と、連絡先と、倉庫情報４１０と、評価スコアなどのデータ項目により構成される。
次に、Ｓ６０２にて、倉庫管理者端末１２０は、Ｓ６０１で入力を受け付けた倉庫管理者情報４００を管理サーバ２００に送信する。
【００５１】
次に、Ｓ６０３にて、管理サーバ２００は、倉庫管理者情報４００を受信する。
次に、Ｓ６０４にて、管理サーバ２００は、受信した倉庫管理者情報４００に倉庫管理者ＩＤを付して、Ｓ６０１にて入力を受け付けた倉庫管理者情報４００を倉庫管理者情報記憶部２２０に記憶する。
＜在庫情報記憶処理＞
図６（ｂ）は、本発明の一実施の形態における在庫情報記憶処理の概要を示す図である。以下、管理サーバ２００が、在庫情報４２０を記憶する方法について説明する。
【００５２】
まず、Ｓ６０５にて、管理サーバ２００は、Ｓ６０４で倉庫管理者情報記憶部２２０に記憶された倉庫管理者情報４００から倉庫情報４１０を抽出する。
次に、Ｓ６０６にて、管理サーバ２００は、Ｓ６０５で抽出した倉庫情報４１０の一部を在庫情報４２０として在庫情報記憶部２３０に記憶する。なお、倉庫情報４１０は、倉庫ＩＤ、倉庫所在地、保有資材、保有資材数量、収納可能容量などの情報から構成される。また、在庫情報４２０は、倉庫ＩＤ、保有資材、保有資材数量などの情報から構成される。
＜在庫管理画面＞
図７は、本発明の一実施の形態における依頼者端末１００のディスプレイに表示される在庫管理画面の構成例の概要を示す図である。在庫管理画面は、例えば、図７（ａ）に示されるように、倉庫の一覧を表示させても良い（この場合、在庫管理画面７００とする）。
【００５３】
図７（ａ）に示されるように、在庫管理画面７００は、各倉庫ＩＤを示す複数のアイコン７１０を含む。また、在庫管理画面７００は、各倉庫ＩＤに対応する倉庫所在地から、各依頼ＩＤに対応する現場所在地までの「距離」と、倉庫１３０の「収納率」とを示す表示領域７２０を含む。各倉庫ＩＤから特定される倉庫１３０の所在地から、各依頼ＩＤから特定される現場１１０の所在地までの距離と、各倉庫ＩＤから特定される倉庫１３０の倉庫収納率等が一覧で表示される。
【００５４】
これによって、依頼者は効率的に希望の倉庫を検索できる。
【００５５】
また、在庫管理画面７００は、「資材別在庫」を表示させる在庫管理画面７９０（後述する）へ画面表示を切り替えさせるためのタブ７２１を含む。
ユーザからタブ７２１を押下する入力を受け付けると、管理サーバ２００の在庫管理画面提供部２５０は、依頼者端末１００に在庫管理画面７９０を提供する。
【００５６】
在庫管理画面は、例えば、図７（ｂ）に示されるように、所望の倉庫１３０について詳細情報を表示させても良い（この場合、在庫管理画面７３０とする）。在庫管理画面７３０が所望の倉庫１３０についての詳細情報を表示させることにより、依頼者は詳細な情報を把握したうえで基準倉庫を選択できる。基準倉庫とは、倉庫検索部２６０が倉庫を検索する際の基準となる倉庫を示す。なお、この時に依頼者から選択された所望の倉庫１３０は、「基準倉庫」として以下定義する。また、在庫管理画面７３０は、在庫管理画面７００に含まれる倉庫ＩＤのうち基準倉庫の倉庫ＩＤを示すアイコン７１０をタップまたはクリックすると表示させるようにしても良い。
【００５７】
図７（ｂ）に示されるように、在庫管理画面７３０は、所望の倉庫１３０の位置を示す地図７４０を含む。なお、所望の倉庫１３０は、依頼者端末１００が在庫管理画面７００に含まれる倉庫ＩＤのうち基準倉庫の倉庫ＩＤを示すアイコン７１０をタップまたはクリックさせることで選択される。また、在庫管理画面７３０には、所望の倉庫１３０の所在地と、現場からの距離と、倉庫管理者３００の名称と、評価スコア等を含む表示領域７５０が表示される。なお、評価スコアは、倉庫管理者の信頼性についての評価を示す。
【００５８】
また、在庫管理画面７３０には、所望の倉庫１３０の保有資材と、保有資材数量と、建材の収納可能容量と、収納率等とを含む表示領域７６０が表示される。また、在庫管理画面７３０には、検索条件タブ７７０と、検索タブ７８０とが表示される。
保有資材としては、資材の名称や、資材の大きさや、資材の特徴などが表示領域７６０に表示される。保有資材数量としては、保有資材（資材の名称など）の数量が、保有資材と対応付けられて表示領域７６０に表示される。収納可能容量としては、「○○ｍ３」のように、倉庫１３０に保有資材を収納可能な容量が表示領域７６０に表示される。また、収納可能容量とともに倉庫１３０への収納率が表示領域３１０に表示される。
このように、所望の倉庫１３０に関する所在地についての情報とともに、倉庫１３０に収納されている保有資材と、保有資材数量と、収納可能容量などが対応付けられて表示されることで、倉庫１３０への資材の収納状況を容易に把握可能となる。
【００５９】
検索条件タブ７７０は、依頼者端末１００が倉庫検索を行う際に、希望する検索条件の入力を受け付ける。検索条件は、例えば、「収納可能容量が基準倉庫以上のもの」や、「現場からの距離が基準倉庫以下のもの」等である。このように検索条件を設けることで、依頼者は自身の希望する条件（例えば「距離」や「評価スコア」）を基準として、効率的に倉庫を探すことができる。
検索条件タブ７７０が入力を受け付けると、依頼者端末１００は、入力を受け付けた情報をキーに、対応する情報を検索条件として管理サーバ２００に送信する。
【００６０】
在庫管理画面は、例えば、図７（ｃ）に示されるように、資材別の在庫一覧を表示させても良い（この場合、在庫管理画面７９０とする）。在庫管理画面７９０は、在庫管理画面生成部２４０によって、Ｓ８０１（後述、図８）で抽出した倉庫情報４１０と、Ｓ８０２（後述、図８）で抽出した倉庫管理者情報４００とに基づいて生成される。
なお、在庫管理画面７９０は、在庫管理画面７００に含まれるタブ７２１をタップまたはクリックすると表示させるようにしても良い。
【００６１】
図７（ｃ）に示されるように、在庫管理画面７９０は、在庫情報記憶部２３０に記憶されている全ての倉庫の保有資材を種類別に一覧表示させる表示領域７９１を含む。また、在庫管理画面７９０は、各資材の合計数量を示す表示領域７９２を含む。このように資材別に在庫管理画面７９０を表示させることで、依頼者は自身の希望する資材（例えば「９０角の木材」）を基準として、効率的に倉庫を探すことができる。
＜在庫管理画面生成処理＞
図８（ａ）は、本発明の一実施の形態における在庫管理画面生成処理の概要を示す図である。以下、管理サーバ２００が、在庫管理画面７００（以下、在庫管理画面を代表して在庫管理画面７００とする）を生成する方法について説明する。
【００６２】
まず、Ｓ８０１にて、管理サーバ２００は、倉庫管理者情報記憶部２２０から倉庫情報４１０のうち、倉庫ＩＤ、倉庫所在地、保有資材、保有資材数量、収納可能容量などの情報を抽出する。
【００６３】
次に、Ｓ８０２にて、管理サーバ２００は、倉庫管理者情報記憶部２２０から倉庫管理者情報４００のうち、倉庫管理者ＩＤと、名称と、連絡先と、倉庫情報４１０と、評価スコアなどのデータ項目を抽出する。
【００６４】
その後、Ｓ８０３にて、管理サーバ２００は、Ｓ８０１で抽出した倉庫情報４１０のうち、倉庫ＩＤ、倉庫所在地、保有資材、保有資材数量、収納可能容量などの情報と、Ｓ８０２で抽出した倉庫管理者情報４００のうち、倉庫管理者ＩＤと、名称と、連絡先と、倉庫情報４１０と、評価スコアなどのデータ項目とから在庫管理画面７００を生成する。
＜在庫管理画面提供処理＞
図８（ｂ）は、本発明の一実施の形態における在庫管理画面提供処理の概要を示す図である。以下、管理サーバ２００が、在庫管理画面７００を提供する方法について説明する。
【００６５】
まず、Ｓ８０４にて、管理サーバ２００は、Ｓ８０３で生成された在庫管理画面７００を依頼者端末１００および倉庫管理者端末１２０に送信する。
【００６６】
次に、Ｓ８０５にて、依頼者端末１００は、在庫管理画面７００を受信する。その後、Ｓ８０６にて、依頼者端末１００および倉庫管理者端末１２０は、Ｓ８０５で管理サーバ２００から提供された在庫管理画面７００をディスプレイに表示させる。
＜倉庫検索処理＞
図９は、本発明の一実施の形態における倉庫検索処理の概要を示す図である。
【００６７】
まず、Ｓ９０１にて、依頼者端末１００は、ディスプレイに表示された在庫管理画面７３０に含まれる検索タブ７８０を依頼者にタップまたはクリックさせることにより、検索開始の入力を受け付ける。なお、この時点で、在庫管理画面７００のアイコン７１０の入力から「基準倉庫」と、在庫管理画面７３０のタブ７７０の入力から「検索条件」とが、受け付けられている。なお、検索条件は、例えば、「収納可能容量が基準倉庫以上のもの」や、「現場からの距離が基準倉庫以下のもの」等である。
【００６８】
次に、Ｓ９０２にて、依頼者端末１００は、依頼者ＩＤと基準倉庫と検索条件とを、管理サーバ２００に送信する。次に、Ｓ９０３にて、管理サーバ２００は、Ｓ９０２で依頼者端末１００から送信された依頼者ＩＤと基準倉庫と検索条件を受信する。
【００６９】
次に、Ｓ９０４にて、管理サーバ２００の倉庫検索部２６０は、Ｓ９０３で受信した基準倉庫の倉庫ＩＤに紐づく倉庫情報４１０のうち、倉庫ＩＤ、倉庫所在地、保有資材、保有資材数量、収納可能容量などの情報を倉庫管理者情報記憶部２２０から呼び出すことにより取得する。
【００７０】
次に、Ｓ９０５にて、管理サーバ２００の倉庫検索部２６０は、Ｓ９０３で受信した依頼者端末１００の依頼者ＩＤに紐づく依頼情報３１０を抽出し、それに含まれる依頼ＩＤおよび現場所在地を取得する。
【００７１】
次に、Ｓ９０６にて、管理サーバ２００の倉庫検索部２６０は、呼出した現場所在地から所定半径以内でかつ、基準倉庫の倉庫情報４１０と比較して検索条件を満たす倉庫１３０が１つ以上存在するか否かを判定する。なお、所定半径とは、例えば１０〜２０キロメートルである。
【００７２】
現場所在地から所定半径以内でかつ、基準倉庫の倉庫情報４１０と比較して検索条件を満たす倉庫１３０が１つ以上存在する時は、管理サーバ２００はＳ９０７の工程へ進行する。上記倉庫１３０が存在しない時は、管理サーバ２００は工程を終了する。
【００７３】
Ｓ９０７にて、管理サーバ２００の倉庫検索部２６０は、現場所在地から所定半径以内でかつ、基準倉庫の倉庫情報４１０と比較して検索条件を満たす全ての倉庫１３０の倉庫情報４１０とそれに紐付いている倉庫管理者情報４００とに基づいて現場所在地と、倉庫所在地と、倉庫の保有資材と、評価スコア等を含む検索結果画面１０００（詳細は後述する）を生成する。
【００７４】
このように、管理サーバ２００の倉庫検索部２３０は、現場所在地と倉庫所在地との位置情報を取得して両者の位置を比較し所定の半径以内に限定し、かつ、依頼者が希望する検索条件に基づき検索することで、管理サーバ２００に記憶してある多数の倉庫１３０の中から、所望する倉庫１３０の検索効率を著しく向上できる。
【００７５】
次に、Ｓ９０８にて、管理サーバ２００の倉庫検索部２６０は、Ｓ９０７で生成された検索結果画面１０００を依頼者端末１００に提供する。次に、Ｓ９０９にて、依頼者端末１００は、Ｓ９０８で管理サーバ２００から提供された検索結果画面１０００をディスプレイに表示させる。
＜検索結果画面＞
図１０は、本発明の一実施の形態における依頼者端末１００のディスプレイに表示される検索結果画面１０００の構成例の概要を示す図である。
【００７６】
図１０に示されるように、検索結果画面１０００は、現場所在地から所定半径以内でかつ、基準倉庫の倉庫情報４１０と比較して検索条件を満たす倉庫１３０の位置を示すアイコン１０１０を含む。
【００７７】
また、検索結果画面１０００は、倉庫情報表示領域１０２０と、依頼者端末１００の依頼ＩＤに対応する現場の位置を示すアイコン１０３０と、基準倉庫の位置を示すアイコン１０４０と、決定タブ１０５０を含む。
【００７８】
倉庫情報表示領域１０２０は、アイコン１０４０で選択されている基準倉庫について、倉庫管理者情報記憶部２２０に記憶されている倉庫管理者情報４００に含まれる倉庫情報４１０を呼び出すことで生成されるデータが表示される。例えば、倉庫情報表示領域１０２０には、倉庫の「所在地の住所」や、「保有資材」や、「収納可能容量」や、「評価スコア」等が表示される。
【００７９】
依頼者端末１００のディスプレイに表示された検索結果画面１０００の内容を確認した依頼者にクリックまたはタップする入力を受け付けることで、「選択倉庫」を選択する入力を受け付ける。その後に、検索結果画面１０００に含まれる決定タブ１０５０が入力を受け付けることで、選択された倉庫１０４０へと決定される。
なお、選択倉庫の詳細は後述する。このように、検索結果画面１０００を依頼者端末１００のディスプレイに表示させることで、依頼者は現場から検索条件を満たす複数の倉庫までの位置関係を容易に把握できる。
＜マッチング画面＞
図１１は、本発明の一実施の形態における依頼者端末１００および倉庫管理者端末１２０のディスプレイに表示されるマッチング画面１１００の構成例の概要を示す図である。
【００８０】
図１１に示されるように、マッチング画面１１００は、経路表示領域１１１０と、経路１１２０と、メッセージ履歴表示領域１１３０と、メッセージ入力領域１１４０と、送信タブ１１５０を含む。
【００８１】
経路表示領域１１１０は、依頼者端末１００の依頼ＩＤに対応する現場の位置を示すアイコン１０３０と、選択倉庫の位置を示すアイコン１１１１と、両者の間の経路１１２０とが表示される。
【００８２】
経路１１２０は、依頼者端末１００の依頼ＩＤに対応する現場の位置を示すアイコン１０３０と、選択倉庫の位置を示すアイコン１１１１との間の最適な経路を示す。なお、最適な経路とは、管理サーバ２００が、ＧＰＳから取得した位置情報に基づいて、道のりが最短になるような経路、または、交通情報その他の情報を勘案したうえで、移動時間が最短となるような経路である。
【００８３】
メッセージ履歴表示領域１１３０には、経路表示領域１１１０に含まれる現場１１０を有する依頼者と、選択倉庫１３０を有する倉庫管理者との間でやり取りされたメッセージの履歴が表示される。
【００８４】
メッセージ入力領域１１４０は、マッチング相手に対して送信するメッセージが表示される。具体的には、メッセージ入力領域１１４０には、依頼者によって入力された情報と、倉庫管理者によって入力された情報とが表示される。
このように、経路表示領域１１１０に、現場１０３０から倉庫１１１１までの経路１１２０とともに、相互のやりとりの履歴がメッセージ入力領域１１４０に表示されることで、依頼者と倉庫管理者とがお互いにどの相手とメッセージのやり取りをしているか認識が容易になる。
＜マッチング画面生成処理およびマッチング画面提供処理＞
図１２は、本発明の一実施の形態におけるマッチング画面生成処理およびマッチング画面提供処理の概要を示す図である。図１２（ａ）は、マッチング画面生成処理の概要を示す図である。
【００８５】
まず、Ｓ１２０１にて、依頼者端末１００は、Ｓ９０９で表示された検索結果画面１０００に含まれる決定タブ１０５０をタップまたはクリックする入力を受け付ける。
次に、Ｓ１２０２にて、依頼者端末１００は、選択倉庫を管理サーバ２００に送信する。
なお、依頼者端末１００のディスプレイに表示された検索結果画面１０００の内容を確認した依頼者にクリックまたはタップする入力を受け付けることで、「選択倉庫」を選択する入力を受け付ける。
【００８６】
次に、Ｓ１２０３にて、管理サーバ２００のマッチング画面生成部２７０は、Ｓ１２０２で依頼者端末１００から送信された選択倉庫を受信する。
次に、Ｓ１２０４にて、受信した選択倉庫に対応する倉庫情報４１０のうち、倉庫ＩＤ、倉庫所在地、保有資材、保有資材数量、収納可能容量などの情報と、依頼者端末１００に対応する依頼情報３１０のうち、依頼ＩＤ、現場所在地、依頼日、依頼資材、依頼資材数量などの情報とから、マッチング画面１１００を生成する。
【００８７】
図１２（ｂ）は、本発明の一実施の形態におけるマッチング画面提供処理の概要を示す図である。
【００８８】
まず、Ｓ１２０５にて、管理サーバ２００のマッチング画面生成部２７０は、Ｓ１２０４で生成されたマッチング画面１１００を依頼者端末１００に提供する。次に、Ｓ１２０６にて、管理サーバ２００は、Ｓ１２０４で生成されたマッチング画面１１００を倉庫管理者端末１２０に提供する。
【００８９】
次に、Ｓ１２０７にて、依頼者端末１００は、管理サーバ２００から提供されたマッチング画面１１００をディスプレイに表示させる。
【００９０】
また、Ｓ１２０８にて、倉庫管理者端末１２０は、管理サーバ２００から提供されたマッチング画面１１００をディスプレイに表示させる。
＜在庫情報更新処理＞
【００９１】
図１３は、本発明の一実施の形態における在庫情報更新処理の構成例の概要を示す図である。
【００９２】
依頼内容の作業が終了後、Ｓ１３０１にて、依頼者端末１００は依頼者から評価スコアの入力を受け付ける。
次に、Ｓ１３０２にて、依頼者端末１００は、Ｓ１３０１で入力を受け付けた評価スコアを管理サーバ２００へ送信する。
次に、Ｓ１３０３にて、管理サーバ２００は、Ｓ１３０２で依頼者端末１００から送信された評価スコアを受信する。
【００９３】
他方、依頼内容の作業が終了後、Ｓ１３０４にて、倉庫管理者端末１２０は倉庫管理者から出入庫情報の入力を受け付ける。出入庫情報は、依頼内容の作業を行うために倉庫から持ち出す資材の出庫数、または依頼内容の作業終了後に倉庫に預け入れる資材の入庫数を示す。
【００９４】
次に、Ｓ１３０５にて、倉庫管理者端末１２０は、Ｓ１３０４で入力を受け付けた出入庫情報を管理サーバ２００へ送信する。その後、Ｓ１３０６にて、管理サーバ２００は、Ｓ１３０５で倉庫管理者端末１２０から送信された出入庫情報を受信する。
【００９５】
次に、Ｓ１３０７にて、管理サーバ２００は、Ｓ１３０３で受信した評価スコアと、Ｓ１３０６で受信した出入庫情報とに基づいて、倉庫管理者情報４００と在庫情報４２０とを更新する。
【００９６】
図１４で示すように、まず、依頼者端末１００が依頼者である甲から、依頼者情報３００と依頼情報３１０との入力を受け付ける。これによって、依頼１が発注される。なお、甲は依頼１に対応する現場１１０（現場αとする）を有する。例えば、依頼１の内容は、木材（９０角）１０本の引き取り作業とする。また、検索の結果、甲が有する依頼者端末１００は、倉庫管理者である丙が有する倉庫管理者端末１２０とマッチングしたとする。
【００９７】
倉庫管理者端末１２０が倉庫管理者である丙から、倉庫管理者端末１２０に提供されたマッチング画面１１００の入力を受け付ける。これによって、依頼１を受注される。なお、丙は、倉庫１３０を有する。丙は、運送トラック１４００によって、現場αから依頼１の内容である木材（９０角）１０本の引き取り作業を行う。
【００９８】
図１５で示すように、次の依頼者端末１００が依頼者である乙から、依頼者情報３００と依頼情報３１０との入力を受け付ける。これによって、依頼２を発注される。なお、乙は依頼２に対応する現場１１０（現場βとする）を有する。例えば、依頼２の内容は、木材（９０角）６本の納品作業とする。また、検索の結果、乙が有する依頼者端末１００は、倉庫管理者である丙が有する倉庫管理者端末１２０とマッチングしたとする。
【００９９】
倉庫管理者端末１２０が倉庫管理者である丙から、倉庫管理者端末１２０に提供されたマッチング画面１１００の入力を受け付ける。これによって、依頼２を受注される。丙は、運送トラック１４００によって、現場αから依頼１の内容である木材（９０角）１０本の引き取り作業を終了後、現場βから依頼２の内容である木材（９０角）６本の納品作業を行う。この際、依頼１でトラック１４００が引き取った１０本の木材１５００から、依頼２の６本を納品しても良い。
【０１００】
また、現場αから依頼１の内容である木材（９０角）１０本の引き取り作業を終了後、依頼者端末１００は、甲から評価スコアの入力を受け付けて、管理サーバ２００に評価スコアを送信する。
【０１０１】
図１６で示すように、丙は、運送トラック１４００によって、現場βから依頼２の内容である木材（９０角）６本の納品作業を終了後、倉庫１３０に入庫を行う。この際、依頼２でトラック１４００が納品した６本を差し引いた余り木材１６００である４本を入庫する。
【０１０２】
また、現場βから依頼２の内容である木材（９０角）６本の納品作業を終了後、倉庫管理者端末１２０は、丙から出入庫情報の入力を受け付けて、管理サーバ２００に出入庫情報を送信する。
＜本実施の形態の効果＞
【０１０３】
以上説明した本発明の実施の形態によれば、管理サーバ２００は、依頼者端末１００から受け付けた依頼者情報３００と倉庫管理者端末１２０から受け付けた倉庫管理者情報４００とに基づき、検索結果画面１０００を生成しディスプレイに表示させることで、工務店等による建築資材の引き取りにかかる手間とコストを削減できる。
【０１０４】
また、本発明の実施の形態によれば、管理サーバ２００は、在庫管理画面７９０で在庫の確認を依頼者に容易にさせることができる。また、管理サーバ２００は、倉庫管理者に常に在庫の利用をさせることが可能となる。
【０１０５】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、顧客端末は、スマートフォン以外にも、ノート型ＰＣや、タブレット端末等の様々な形態の顧客端末を全て含むものである。
【０１０６】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１０７】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１０８】
１００…依頼者端末
１１０…現場
１２０…倉庫管理者端末
１３０…倉庫
２００…管理サーバ
２１０…依頼者情報記憶部
２２０…倉庫管理者情報記憶部
２３０…在庫情報記憶部
２４０…在庫管理画面生成部
２５０…在庫管理画面提供部
２６０…倉庫検索部
２７０…マッチング画面生成部
２８０…マッチング画面提供部
７００…在庫管理画面
１０００…検索結果画面
１１００…マッチング画面
【要約】
【課題】工務店等による建築資材の引き取りにかかる手間とコストの削減が可能な技術を提供する。
【解決手段】
依頼者端末１００および倉庫管理者端末１２０とネットワークを介して接続される管理サーバ２００であって、依頼者情報記憶部２１０に記憶されている依頼情報３１０と倉庫管理者情報記憶部２２０に記憶されている倉庫情報４１０とを比較して、現場から所定の半径以内でかつ所望の検索条件を満たす倉庫が存在するか否かを検索し、前記依頼情報３１０と前記倉庫情報４１０とを比較して現場から所定の半径以内でかつ所望の検索条件を満たす倉庫が存在する場合に、検索結果画面１０００を生成および提供する倉庫検索部２６０を有する、管理サーバ。
【選択図】図１【図１】
0006723588.tif 000002
【図２】
0006723588.tif 000003
【図３】
0006723588.tif 000004
【図４】
0006723588.tif 000005
【図５】
0006723588.tif 000006
【図６】
0006723588.tif 000007
【図７】
0006723588.tif 000008
【図８】
0006723588.tif 000009
【図９】
0006723588.tif 000010
【図１０】
0006723588.tif 000011
【図１１】
0006723588.tif 000012
【図１２】
0006723588.tif 000013
【図１３】
0006723588.tif 000014
【図１４】
0006723588.tif 000015
【図１５】
0006723588.tif 000016
【図１６】
0006723588.tif 000017